(57)【要約】  本発明は、プラグ側に配設されたプラグ接点（１１２）、及びケーブル接続部側に配設された圧着接続部（１３２、１３４）を備え、少なくとも１つの一次ロック要素及び少なくとも１つの二次ロック要素を備える、プラグコネクタ（２００）のための接点要素（１００）に関し、該接点要素は、プラグ接点（１１２）及び圧着接続部（１３２、１３４）が、軸方向に平行な様式で互いからオフセットされること、少なくとも１つの一次ロック要素が、差し込み方向（Ｒ）に対して横方向に作用し、かつ、差し込み手段平面（Ｅ）に対して鏡面対称に配設される、２つのロックばね（１１２）を有すること、少なくとも１つの二次ロック要素が、差し込み手段平面（Ｅ）に対して鏡面対称の様式で接点要素（１００）に配設され、かつ、差し込み方向に対して横方向に延びる少なくとも１つの二次ロック凹部（１２４）を有することを特徴とする。
2017524239.tif 000002
【特許請求の範囲】
【請求項１】
プラグ側に配設されたプラグ接点（１１２）及びケーブル接続部側に配設された圧着接続部（１３２、１３４）を有し、少なくとも１つの一次ロック要素を有し、少なくとも１つの二次ロック要素を有する、プラグコネクタ（２００）のための接点要素（１００）であって、前記プラグ接点（１１２）及び前記圧着接続部（１３２、１３４）が、互いに対して軸方向に平行オフセットされること、前記少なくとも１つの一次ロック要素が、差し込み方向（Ｒ）に対して横方向に作用し、かつ差し込み手段平面（Ｅ）に対して鏡面対称に配設される、２つのロックばね（１２２）を有すること、及び前記少なくとも１つの二次ロック要素が、前記差し込み手段平面（Ｅ）に対して鏡面対称になるように前記接点要素（１００）に配設され、かつ、それぞれ前記差し込み方向に対して直角に延びる、少なくとも１つの二次ロックインデント（１２４）を有することを特徴とする、プラグコネクタ（２００）のための接点要素（１００）。
【請求項２】
前記プラグ接点（１１２）及び前記圧着接続部（１３２、１３４）が、前記閉じた圧着接続部（１３２、１３４）の前記差し込み方向に対して垂直な直径（Ｄ）に／最大寸法に少なくとも実質的に対応する、長さ寸法（Ａ）だけ互いに対してオフセットされることを特徴とする、請求項１に記載の接点要素（１００）。
【請求項３】
圧着拘束要素（１３６）が、前記ケーブル接続部側の前記圧着接続部（１３２、１３４）に追従すること特徴とする、請求項１又は２に記載の接点要素（１００）。
【請求項４】
前記圧着拘束要素（１３６）が、前記完全に開いた圧着ウィング（１３２）又は完全に開いたクランプウィング（１３４）の平面上の前記圧着接続部（１３２、１３４）の下縁部に配設されることを特徴とする、請求項３に記載の接点要素（１００）。
【請求項５】
前記プラグ接点（１１２）が、内向きにテーパー状になるような方法で前記プラグ接点側に配設されたＵ字形ブラケット（１１１）上に配設され、ばね的に形成され、前記ケーブル接続部側の方向を指すことを特徴とする、請求項１〜４の一項に記載の接点要素（１００）。
【請求項６】
前記ロックばね（１２２）が、前記差し込み手段平面（Ｅ）に面するそれらの側にブレード接点支持面（１２３）を有することを特徴とする、請求項１〜５の一項に記載の接点要素（１００）。
【請求項７】
プラグコネクタハウジング（２１０）に配設され、前記一次ロック要素の前記ロックばね（１２２）のための開口部（２６０）が、前記プラグコネクタハウジング（２１０）に提供され、二次ロックカム（３４２）が、前記プラグコネクタハウジング（２１０）に提供され、前記二次ロック要素の前記二次ロックインデント（１２４）と係合し、前記接点要素（１００）に対して調整された前記インデント（２３０）が、前記接点要素（１００）が前記インデント（２３０）に載置された状態で位置付けられ、かつ前記一次ロック要素及び前記二次ロック要素によって固定されるような方法で、前記プラグコネクタハウジング（２１０）に配設され、前記インデント（２３０）が、前記接点要素（１００）が互いに対してそれぞれ１８０°回転して互いに並んで位置付けられるような方法で、前記プラグコネクタハウジング（２１０）に配設されることを特徴とする、請求項１〜５の一項に記載の少なくとも１つの接点要素（１００）を有するプラグコネクタ（２００）。
【請求項８】
前記接点要素（１００）が、各場合において互いに対して１８０°回転した状態で、互いに並んで位置付けられることを特徴とし、各場合において上下に位置する前記圧着接続部（１３２、１３４）が、前記差し込み方向（Ｒ）に対して横方向に重なる、請求項７に記載のコネクタハウジング。
【請求項９】
前記二次ロックカム（３４２）が、前記二次ロックインデント（１２４）に対して余剰長さを有し、よって、前記ロックカム（３４２）が前記二次ロックインデント（１２４）と係合したときに、該余剰長さが、前記ロックカム（３４２）を前記二次ロックインデント（１２４）に割り込ませる、請求項７又は８の一項に記載のプラグコネクタ（２００）。
【請求項１０】
前記圧着拘束要素（１３６）が、インデントの中で静止し、該インデントが、特に前記接点要素（１００）を前記差し込み方向（Ｒ）に対して平行に移動させることによりプレテンションを働かせることによって、前記プラグコネクタハウジングの前記圧着拘束要素（１３６）に対して鏡面反転されることを特徴とする、請求項７〜９の一項に記載のプラグコネクタ（２００）。
【発明の詳細な説明】
【技術分野】
【０００１】
本発明は、請求項１の前文による、プラグ側に配設されたプラグ接点及びケーブル側に配設された圧着接続部を有するプラグコネクタのための接点要素に関する。本発明は、請求項７の前文による、プラグコネクタハウジングに配設された少なくとも１つのこのような接点要素を有するプラグコネクタに更に関する。
【背景技術】
【０００２】
このタイプのプラグコネクタは、特許文献１から明らかになる。このプラグコネクタは、ケーブル接続部側に配設された圧着接続部を有する接点要素を有し、該圧着接続部は、各場合において一次ロック要素及び二次ロック要素を備える。どの接点要素も、ばね接点としての役割を果たし、それに加えて、圧着によって個々のケーブルに接触し、該ケーブルを接点要素に固定するために提供される。これらの接点要素の各々は、プラグコネクタハウジングに配設され、接点要素は、互いに並んで位置付けられる。このようなプラグコネクタは、例えば、自動車の製造に使用される。プラグコネクタは、プラグコネクタの個々のケーブルを、互いに並んで位置付けられるか、又は上下に位置付けられる複数の接点要素に接触させる役割を果たす。一般的なケーブルハーネスからの個々のケーブルのためのアウトレットは、異なる場所で必要とされるので、自動車の製造では、一般的なプラグコネクタにおける個々のケーブルの接触が必要である。
【先行技術文献】
【特許文献】
【０００３】
【特許文献１】独国実用新案第２０２０１００１１５４５号明細書
【発明の概要】
【発明が解決しようとする課題】
【０００４】
特に自動車の製造において、このようなプラグコネクタは、高負荷、例えば振動負荷及び同類のものに晒される。圧着接続部は、こうした負荷に非常によく耐える。しかしながら、圧着接続部が占有する設置空間のため、こうしたコネクタを非常にコンパクトに構築することは容易に可能ではない。プラグコネクタハウジングの接点要素の間隔は、基本的に、圧着接続部の寸法／直径によって決定される。
【課題を解決するための手段】
【０００５】
請求項１に記載の特徴を有する、本発明による接点要素、及び請求項７に記載の特徴を有する、このような接点要素がプラグコネクタハウジングに配設される本発明によるプラグコネクタは、相対的に、非常に好都合な様式での非常にコンパクトな設置、及びこのようなプラグコネクタのサイズにおいて更なる縮小を可能にし、したがって、このようなプラグコネクタに配設される接点要素の数の増加を可能にし、したがって、このようなプラグコネクタに配設することができる接点要素の数の増加を可能にし、したがって、プラグコネクタで終端する接点に対するケーブルの数の増加を可能にする。更に、このようなプラグシステムの２列の実現形態は、これを通して唯一可能である。
【０００６】
本発明によれば、本明細書では、プラグ接点及び圧着接続部が、互いに対して軸方向に平行にオフセットされ、少なくとも１つの一次ロック要素が、差し込み方向に対して横方向に作用し、かつ、差し込み手段平面に対して鏡面対称になるように配設される、２つのロックばねを有し、少なくとも１つの二次ロック要素が、差し込み方向に対して横方向になり、かつ、差し込み手段平面に対して鏡面対称になるように接点要素に配設される、少なくとも１つの二次ロックインデントを有するように提供される。プラグ接点、及び圧着接続部、並びに協働するプラグ手段平面に対して鏡面対称になるように配設される一次ロック要素及び二次ロック要素の、軸方向に平行なオフセットによって、プラグ接点を、プラグにおいて互いに対してそれぞれ１８０度回転して互いに並んで位置付けることが可能である。この結果、プラグコネクタにおけるプラグ接点の２列配設が可能である。この場合、プラグ接点は、１つの平面上にあり、隣接するプラグ接点の２つのこのような平面が上下に位置付けられる。プラグ接点、したがって、圧着接続部は、他方の平面に対して１８０°回転させた一方の平面にある。
【０００７】
本発明によるプラグコネクタの好都合な一実施形態によれば、プラグコネクタのプラグ接点が、各場合において互いに対して１８０°回転した状態で、互いに並んで位置付けられるように提供され、それぞれ上下に位置する圧着接続部は、差し込み方向に対して横方向に（垂直に）載置された状態で重ねることができる。これは、プラグ接点を一列に配設することを可能にし、プラグコネクタハウジングにおける圧着接続部の交互の配設のため、いわば、圧着接続部がもはや「互いに邪魔されない」ので、圧着接続部が、各場合において互いに対してオフセットされ、圧着接続部が異なる平面に僅かに重なるほどに互いに近づけることができるので、プラグ接点を、従来技術から知られているプラグの場合よりも、互いにかなり近くに位置することができる。同じく、この配設によって、このようなプラグシステムを２列設計に形成することが唯一可能である。これは、プラグコネクタを１８０°回転した位置に載置する可能性によって可能となる。
【０００８】
本発明による接点要素及び本発明によるプラグコネクタの更に好都合な開発及び実施形態は、それぞれ、請求項１及び７を再度参照する、従属請求項の主題である。
【０００９】
したがって、プラグ接点及び圧着接続部は、差し込み方向に対して又は圧着接続部の直径に対して垂直な最大寸法に少なくとも実質的に対応するある程度の長さだけ、互いに対してオフセットされるように好都合に提供される。このようにして、上で説明されるように、互いに対してオフセットされて平面に配置された接点要素の僅かに重なる配設は、非常に好都合に可能である。
【００１０】
いずれの接点要素も、非常に好都合に、圧着接続部に追従するケーブル接続部側に圧着拘束要素を有し、該圧着拘束要素は、インデントの中で静止し、該インデントは、プレテンションを働かせることによって接点要素をプラグコネクタハウジングに載置した後に、プラグコネクタハウジングの圧着拘束要素に対して鏡面反転される。このようにして、接点要素は、プラグコネクタハウジングに固定され、したがって、車両において起こり得るような相当な振動負荷であっても、例えば接点要素と圧着領域との間の破壊、又は絶縁効果を有する圧着接続部の銅導体の接触腐食に至らないということが達成される。
【００１１】
したがって、圧着拘束要素が圧着接続部の下縁部に配設されるように、非常に好都合に提供される。本明細書で「下縁部に」とは、開いた圧着ウィングの実質的に平面上に位置することを意味する。
【００１２】
ばね接点として形成されたプラグ接点は、内向きにテーパー状であるプラグ接点側に配設されたＵ字形ブラケット上に配設され、ばね的に形成され、ケーブル接続部側の方向を指す。この形成は、単純かつ効果的な、実際には、下でより詳細に説明されるような様式で一次ロックの作動も同時に実現されるような方法で、ブレード接点要素の受容を提供する。
【００１３】
ロックばねは、好ましくは、差し込み手段平面に面するそれらの側にブレード接点支持面を有する。これらは、ブレード接点要素に当接し、かつブレード接点要素を差し込んだ状態での差し込み手段平面の方向におけるロックばねのいかなる移動も可能にしないので、プラグコネクタハウジングに提供された開口部からロックばねがラッチ解除することを効果的に防止する役割を果たす。
【００１４】
ハウジングに提供される二次ロックカムは、好ましくは、二次ロックインデントに対して余剰長さを有し、よって、ロックカムが二次ロックインデントと係合したときに、該余剰長さが、ロックカムを二次ロックインデントに割り込ませる。カムが二次ロックインデントに完全に係合することによって、接点要素がプラグコネクタハウジングに固定される。
【００１５】
本発明の例示的な実施形態は、図面に示され、また、下の説明において更に詳細に説明される。
【図面の簡単な説明】
【００１６】
【図１】第１の表示方向からの、本発明による接点要素の等角図である。
【図２】異なる表示方向からの、図１に示される接点要素の等角図である。
【図３】接点要素を載置する前の、本発明によるプラグコネクタの等角図である。
【図４】接点要素を載置した後の、本発明によるプラグコネクタの等角図である。
【図５】接点要素のプラグコネクタハウジングへの載置を説明する、等角断面図である。
【図６】プラグコネクタを更にプラグコネクタハウジングに嵌合させた差し込んだ状態における、本発明によるプラグコネクタの等角断面図である。
【発明を実施するための形態】
【００１７】
総じて１００と記された接点要素は、接触領域１１０と、ロック領域１２０と、圧着領域１３０とを有する。接点領域１１０は、Ｕ字形の屈曲したブラケット１１１から実質的に成り、その上には、差し込み方向に内向きにテーパー状であり、ばね的に形成され、ケーブルに近い側の、すなわち、圧着領域１３０の方向を指す、プラグ接点１１２が配設される。プラグ側に配設されるこれらのプラグ接点１１２は、ブレード接点要素３１０を受容する役割を果たす（図６を参照されたい）。
【００１８】
接点領域１１０に追従するロック領域１２０は、一次ロック要素及び二次ロック要素を有する。一次ロック要素は、差し込み方向Ｒに対して横方向に作用し、かつ、差し込み手段平面Ｅに対して鏡面対称に配設される、２つのロックばね１２２を有し、該差し込み手段平面は、プラグ接点１１２の中間でブラケット１１３の差し込み基部から垂直に延在し、該ロックばねは、載置された状態で、プラグコネクタ筐体の対応するインデント２６０と係合し、該ロックばねのばね効果によってそこで保持される（図１、図５を参照されたい）。
【００１９】
これらのロックばね１２２は、一次ロックを形成する。二次ロックは、圧着領域１３０に面するロック領域１２０の側部でこれに接続され、該二次ロックは、とりわけ、二次ロックインデント１２４によって形成される。これらの二次ロックインデント１２４はまた、平面Ｅに対して鏡面対称であるようにも配設される。
【００２０】
一次ロック要素の両方のロックばね１２２の、及び二次ロック要素の二次ロックインデント１２４の鏡面対称な配設のため、設置を変更することなく、接点要素を１８０°回転させて使用することも可能である。この場合、上部及び下部ロックばね１２２並びに上部及び下部二次ロックインデント１２４が、それらの位置を変化させる。Ｕ字形ブラケット１１１も同様に１８０°回転し、よって、図１において、基部表面１１３は、差し込み方向Ｒから見たときに、右側ではなく左側に配設される。差し込み接点１１２も同様に、平面Ｅに対して鏡面対称であるように形成され、１８０°回転した接点要素１００の両方の位置での差し込みが可能であるように配設される。各場合において１８０°回転させた、接点要素１００の両方の位置において、一次ロック要素及び二次ロック要素の完全な機能も保証される。プラグ接点１１２のこの鏡面対称な配設、一次ロック要素のロックばね１２２、及び二次ロック要素の二次ロックインデント１２４とともに、圧着領域１３０が、ロック領域１２０及び接点領域１１０に対して距離Ａだけ軸方向に平行であるようにオフセットされるように提供される。この距離Ａは、直径Ｄに、又は圧着状態の圧着接続部の差し込み方向に対して垂直な最大寸法に少なくとも実質的に対応する（図３、図４を参照されたい）。圧着接続部は、本来的に既知の様式において、圧着ストランドのための圧着ウィング１３２、及びケーブルを解放するためにケーブルの絶縁シェル（図示せず）を挟持するためのクランプウィング１３４を有する。圧着拘束要素１３６は、クランプウィング１３４に接続され、該圧着拘束要素は、実質的にＴ字形であり、完全に平坦に湾曲した圧着ウィング１３２又はクランプウィング１３４の平面上に位置する。この拘束要素１３６の機能は、下で更に詳細に説明される。
【００２１】
このような接点要素は、総じて２００と記されたプラグコネクタに配設される。このために、接点要素１００に対して調整される開口部２３０が、プラグコネクタハウジング２１０に提供され、接点要素１００を受容し、位置付ける役割を果たす（図３〜図６を参照されたい）。このために、接点要素１００は、図５及び図６と関連して下で更に詳細に説明されるように、ハウジング２１０の正面側から開口部２３０の中へ押し込まれ、ロック要素によりそこで固定される。本発明によれば、この時点で、接点要素１００が各場合において互いに対して１８０°回転した状態で互いに並んで位置付けられるような方法で、インデント２３０がプラグコネクタハウジング２１０に配設されるように提供される。図３に示されるように、このような設計は、１つの列の中で互いに非常に近づいて位置する接点領域１１０の配設を可能にする。これは、圧着領域１３０が互いに並んで位置付けられるのではなく、交互様式で上下に交互に位置することにより可能であり、圧着領域１３０は、上下に配設されているため、重ねることができ、したがって、接点領域１１０の密な配設を唯一可能にする。こうすることによって、接点要素の２列の実現形態を有するプラグコネクタを実現することも可能である。この場合、接点要素は、上下に位置し、接点要素１００は、各場合において互いに対して１８０°回転して、上下に位置する複数列に配設される。ロック要素、すなわち、一次ロック要素及び二次ロック要素は、１つの単一の接点要素を、プラグコネクタハウジング２１０において互いに対してそれぞれ１８０°回転した、２つの異なる位置に配設することができるように、平面Ｅに対して鏡面対称に形成しなければならない。
【００２２】
図５は、接点要素１００をプラグコネクタハウジング２００の中へ押し込む時点を示す。差し込み方向Ｒにおいてテーパー状であり、かつばね的に形成される、各場合において２つのプラグ接点１１２を有する接点領域１１０が、ハウジング２００の開口部２７０まで押し込まれる。完全に押し込まれた状態でだけ、一次ロック要素の２つのロックばね１２２のうちの１つが開口部２６０の中へ跳ね上がり、したがって、ハウジングに提供される。隣接する接点要素は、１８０°回転し、この回転により、他方のロックばね１２２が開口部２６０の中へ跳ね上がる。したがって、隣接する接点要素１００によって、一次ロック要素の上部又は下部ロックばね１２２が開口部２６０と係合し、各場合において平面Ｅに関して交互する。
【００２３】
図６は、更なる嵌合プラグコネクタ３００と連動して接点要素１００が載置されたプラグコネクタ２００を等角断面的な描写で示す。更なるプラグコネクタ３００は、ブレード接点３１０を有し、該ブレード接点のうちの１つの単一の接点だけを図６において視認することができる。ブレード接点３１０は、電気的接触を生成することによって、プラグ接点１１２と係合する。同時に、該ブレード接点は、一次ロック要素を形成し、かつ、差し込み方向Ｒに対して横方向に延びるロックばね１２２が、プラグコネクタハウジング２１０の開口部２６０の静置位置に固定する程度の深さまで、ロック領域１２０の中へ突出する。
【００２４】
図６に概略的に示されるように、ブレード接点要素又はブレード接点３１０がばね接点要素１００の中へ押し込まれた後に、ロックばね１２２は、ラッチ解除が効果的かつ安全に防止されるが、プラグコネクタハウジング２１０の対応する開口部２６０からロックばね１２２の静止フックがラッチ解除し得ることを意味する。この場合は、ロックばね１２２が、ブレード接点３１０に面する該ロックばねの支持面１２３によってブレード接点３１０上で支持され、よって、差し込んだ状態でのロックばね１２２のラッチ解除が防止される。
【００２５】
更なる二次ロック要素３４０が、二次ロックカム３４２の形態で提供され、二次ロックインデント１２４と係合する。本明細書では、平面Ｅに関して二次ロックインデント１２４の鏡面対称な配設のため、接点要素１００を、１８０°回転した２つの異なる位置に交互に配設することができるようにも適用され、同一の二次ロック要素３４０は、二次ロックカム３４２と係合するが、あるときには一方（上部）の二次ロックインデントと係合し、他のときにはもう一方（下部）の二次ロックインデント１２４と係合し、これらの二次ロックインデントは、平面Ｅに対して鏡面対称に配設される。二次ロックカム３４２は、二次ロックインデント１２４と比較して、少ない余剰長さを有する。こうすることによって、差し込んだ状態において、プラグコネクタハウジング２００の接点要素１００のプレテンションをかけた固定が可能である。
【００２６】
図４及び図６から明らかになるように、インデント２３６は、圧着拘束要素１３６のためのハウジング２００に提供され、該インデントは、圧着拘束要素１３６に対して調整され、実際には、プラグコネクタハウジング２００の圧着領域１３０を固定することが、圧着接続部の下縁部に配設される圧着拘束要素１３６をこれらのインデント２３６に配設することによって実現されるような方法で調整される。この固定は、破壊的な接触腐食の発生を防止し、したがって、抵抗の増加による電気接点の遮断を防止し、更には、例えば自動車において、このようなプラグが受ける振動中に接点要素１００が破損するのを防止する。
【図１】
2017524239.tif 000003
【図２】
2017524239.tif 000004
【図３】
2017524239.tif 000005
【図４】
2017524239.tif 000006
【図５】
2017524239.tif 000007
【図６】
2017524239.tif 000008
【国際調査報告】
2017524239.tif 000009
2017524239.tif 000010
2017524239.tif 000011
2017524239.tif 000012